(57)【特許請求の範囲】
【請求項１】
床シートが敷設された連続するバルコニーにおいて、自家専用使用領域と隣家専用使用領域との境界部分の床シート間に設置される長尺のバルコニーの排水仕切形成部材であって、
バルコニー床面のコンクリート躯体に接する底部と、
上記底部の両側から凹湾曲して上方へ立ち上がり、捲り上げた床シートの裏面と接する床シート接面部と、
上記床シート接面部の上部から幅方向に張り出して床シートの端部を覆うカバー部と、
を具備していることを特徴とするバルコニーの排水仕切形成部材。
【請求項２】
上記カバー部を別体に形成したことを特徴とする請求項１に記載のバルコニーの排水仕切形成部材。
【請求項３】
シート接面部又は／及びカバー部の床シートと接する面に、凹溝又は凸条が長さ方向に亘って形成されていることを特徴とする請求項１又は請求項２に記載のバルコニーの排水仕切形成部材。
【請求項４】
バルコニー床面のコンクリート躯体上に、請求項１ないし請求項３のいずれかに記載のバルコニーの排水仕切形成部材が、その底部が接するように載置され、自家専用使用領域と隣家専用使用領域の境界部分で捲り上げられたそれぞれの床シート裏面が、排水仕切形成部材の両側の床シート接面部にそれぞれ密着して凹湾曲しながら上方へ立ち上がって接着されると共に、自家専用使用領域と隣家専用使用領域の床シートの端部がカバー部で覆われて接着されていることを特徴とするバルコニーの排水仕切構造。
【請求項５】
バルコニーの自家専用使用領域と隣家専用使用領域にそれぞれ敷設された２枚の床シートの突き合わせ端部、又は、バルコニーの自家専用使用領域と隣家専用使用領域に亘って敷設された１枚の床シートを自家専用使用領域と隣家専用使用領域の境界部分で切断して捲り上げ、バルコニー床面のコンクリート躯体上に、請求項１ないし請求項３のいずれかに記載のバルコニーの排水仕切形成部材を、その底部が接するように載置し、排水仕切形成部材の一方の床シート接面部に自家専用使用領域の捲り上げた床シートの裏面を密着させて凹湾曲させながら上方へ立ち上げて接着すると共に、他方の床シート接面部に隣家専用使用領域の捲り上げられた床シートの裏面を密着させて凹湾曲させながら上方へ立ち上げて接着し、自家専用使用領域と隣家専用使用領域の床シートの端部をカバー部で覆って接着することで、自家専用使用領域と隣家専用使用領域との境界部分の床シート間に排水仕切形成部材を設置することを特徴とするバルコニーの排水仕切方法。
【発明の詳細な説明】
【技術分野】
【０００１】
本発明は、床シートが敷設された連続するバルコニーの、自家専用使用領域と隣家専用使用領域との境界に設置されるバルコニーの排水仕切形成部材と、それを用いた排水仕切構造、並びに排水仕切方法に関するものである。
【背景技術】
【０００２】
近年、二階建て以上の鉄筋コンクリート造集合住宅等では、連続するバルコニーを仕切板で区切って、同階の住民で共用することが一般化している。この自家専用使用領域と隣家専用使用領域とを区切る仕切板は、防災上の観点から避難時に打ち破ることができるようなものが好適に用いられ、その下端は開口していることが多い。従って、バルコニーの自家専用使用領域から流れ出る水（例えば、エアコン排水、バルコニーを掃除したときの水など）が、隣家の専用使用領域へ流出してしまう恐れがあった。
【０００３】
そのエアコンからの排水対策として、屋外用床シートと同じ厚さを有して、該床シートと共に屋外の床に貼着する帯状貼着板の表面に、幅方向の中央にて材長方向に浅溝のドレイン排水路を形成し、縁部を上記床シートの縁部と接合させたドレイン排水溝材に、エアコンからの排水ホースを沿わせて、排水が隣家専用使用領域へ流出するのを防止したドレイン排水溝材が提案されている（特許文献１）。
【０００４】
上記ドレイン排水溝材によって、エアコンからの排水が隣家専用使用領域に流出するのを防止することはできるが、エアコンからの排水対策品であるため、バルコニーを水掃除したり、或いは、植物に水やりをしたりしたときの水が、自家専用使用領域から隣家専用使用領域へ流出してしまう恐れがあり、隣人と無用のトラブルを招き兼ねない。
【特許文献１】特開平１０−４６７６２号公報
【発明の開示】
【発明が解決しようとする課題】
【０００５】
本発明は上記の問題に鑑みてなされたもので、その解決しようとする課題は、バルコニーの自家専用使用領域で使用した水が、隣家専用使用領域へ流出するのを防止すると共に、使用した水が床シートとコンクリート躯体の間に侵入することがない、防水性に優れたバルコニーの排水仕切形成部材及びそれを用いた排水仕切構造並びに排水仕切方法を提供することにある。
【課題を解決するための手段】
【０００６】
上記目的を達成するため、本発明に係るバルコニーの排水仕切形成部材は、床シートが敷設された連続するバルコニーにおいて、自家専用使用領域と隣家専用使用領域との境界部分の床シート間に設置される長尺のバルコニーの排水仕切形成部材であって、バルコニー床面のコンクリート躯体に接する底部と、上記底部の両側から凹湾曲して上方へ立ち上がり、捲り上げた床シートの裏面と接する床シート接面部と、上記床シート接面部の上部から幅方向に張り出して床シートの端部を覆うカバー部と、を具備していることを特徴とするものである。
【０００７】
本発明のバルコニーの排水仕切形成部材においては、上記カバー部を別体に形成することも好ましい。また、シート接面部又は／及びカバー部の床シートと接する面に、凹溝又は凸条が長さ方向に亘って形成されているとより好ましい。
【０００８】
また、本発明のバルコニーの排水仕切形成部材を用いた排水仕切構造は、バルコニー床面のコンクリート躯体上に、上記いずれかのバルコニーの排水仕切形成部材が、その底部が接するように載置され、自家専用使用領域と隣家専用使用領域の境界部分で捲り上げられたそれぞれの床シート裏面が、排水仕切形成部材の両側の床シート接面部にそれぞれ密着して凹湾曲しながら上方へ立ち上がって接着されると共に、自家専用使用領域と隣家専用使用領域の床シートの端部がカバー部で覆われて接着されていることを特徴とするものである。
【０００９】
更に、本発明のバルコニーの排水仕切形成部材を用いた排水仕切方法は、バルコニーの自家専用使用領域と隣家専用使用領域にそれぞれ敷設された２枚の床シートの突き合わせ端部、又は、バルコニーの自家専用使用領域と隣家専用使用領域に亘って敷設された１枚の床シートを自家専用使用領域と隣家専用使用領域の境界部分で切断して捲り上げ、バルコニー床面のコンクリート躯体上に、上記いずれかのバルコニーの排水仕切形成部材を、その底部が接するように載置し、排水仕切形成部材の一方の床シート接面部に自家専用使用領域の捲り上げた床シートの裏面を密着させて凹湾曲させながら上方へ立ち上げて接着すると共に、他方の床シート接面部に隣家専用使用領域の捲り上げられた床シートの裏面を密着させて凹湾曲させながら上方へ立ち上げて接着し、自家専用使用領域と隣家専用使用領域の床シートの端部をカバー部で覆って接着することで、自家専用使用領域と隣家専用使用領域との境界部分の床シート間に排水仕切形成部材を設置することを特徴とするものである。
【発明の効果】
【００１０】
本発明のバルコニーの排水仕切形成部材は、連続するバルコニーの自家専用使用領域と隣家専用使用領域との境界部分の床シート間に設置するものなので、植物の水やり、バルコニーの水掃除、エアコンからの排水等、自家専用使用領域で使用した水が隣家専用使用領域へ流出しそうになっても、隣家との境界部分に設置された排水仕切形成部材によって堰止められて、隣家専用使用領域へ流出することがなく、安心してバルコニーで水を使用することができる。しかも、本発明の排水仕切形成部材は、単に床シートと床シートの間に設置するものではなく、自家専用使用領域と隣家専用使用領域の床シート端部を捲り上げて設置するのものなので、排水仕切形成部材と床シートの接着面が、バルコニーに敷設された捲り上げられていない床シートよりも高い場所に位置し、バルコニーで使用した水が、直接床シートと排水仕切形成部材の接着端部に接することが殆どないので、床シートとコンクリート躯体の間に水が侵入する心配がない。
【００１１】
また、上記カバー部を別体に形成したバルコニーの排水仕切形成部材は、カバー部を別体に形成することで、床シート接面部に床シートを充分密着させて接着してから、カバー部で床シート端部を覆うことができるようになるので、施工性が向上する。
【００１２】
更に、シート接面部又は／及びカバー部の床シートと接する面に、凹溝又は凸条が長さ方向に亘って形成されているバルコニーの排水仕切形成部材は、接着剤やコーキング剤で床シートと排水仕切形成部材を接着する場合に、床シートと排水仕切形成部材の接着性が向上するので、床シートと排水仕切形成部材が剥がれ難くなるのは勿論のこと、床シートとコンクリート躯体の間に水が侵入する可能性が更に低くなる。
【００１３】
一方、本発明のバルコニーの排水仕切構造は、前述したような優れた作用効果を奏する排水仕切形成部材を用いるので、バルコニーの自家専用使用領域で使用した水が隣家専用使用領域へ流出する心配がない。また、排水仕切形成部材と床シートは、バルコニー床面に敷設された床シートよりも高い場所で接着されているので、バルコニーで使用した水や大雨等で排水仕切形成部材と床シートの接着端部が水没することがなく、床シートとコンクリート躯体の間に水が侵入するのを防止することができる。
【００１４】
また、本発明のバルコニーの排水仕切方法は、鉄筋コンクリート造集合住宅を新築する時や、そのバルコニー部分を改修する時に好適に用いられる方法であって、バルコニーの自家専用使用領域と隣家専用使用領域に、それぞれ別個の床シートを敷設する場合や、１枚の床シートで自家専用使用領域と隣家専用使用領域をカバーするように敷設する場合のそれぞれに対応することができる。即ち、自家専用使用領域と隣家専用使用領域にそれぞれ別個の床シートを敷設する場合には、それら床シートの突き合わせ端部を捲り上げて排水仕切形成部材を設置することで対応すればよいし、１枚の床シートを自家専用使用領域と隣家専用使用領域に亘って（１枚の床シートを隣家専用使用領域の更に隣の専用使用領域に敷設する場合も含む。）敷設した場合には、自家専用使用領域と隣家専用使用領域の境界部分の床シートを切断して捲り上げて排水仕切形成部材を設置することで対応すればよい。しかも、自家専用使用領域と隣家専用使用領域の床シート間に設置される排水仕切形成部材は、前述したような優れた作用効果を奏するものなので、バルコニーの自家専用使用領域で使用した水が隣家専用使用領域へ流出する心配がなく、隣人との無用のトラブルを未然に防止することができる。また、排水仕切形成部材と床シートは、バルコニー床面に敷設された床シートよりも高い場所で密着して接着するので、バルコニーで使用した水や大雨等で排水仕切形成部材と床シートの接着端部が水没してしまうことがなく、床シートとコンクリート躯体の間に水が侵入するのを防止することもできる。
【発明を実施するための最良の形態】
【００１５】
以下、図面を参照して本発明の具体的な実施形態を詳述する。
【００１６】
図１は本発明の一実施形態に係るバルコニーの排水仕切形成部材を示す斜視図、図２は同排水仕切形成部材の正面図、図３は同排水仕切形成部材を用いたバルコニーの排水仕切構造を示す概略斜視図、図４は図３のＡ−Ａ断面図、図５は同排水仕切形成部材を用いたバルコニーの排水仕切方法を説明する部分断面図、図６は同バルコニーの排水仕切方法（中空体の排水仕切形成部材を用いた方法）を説明するものであって、（ａ）は部分斜視図、（ｂ）は側面図である。
【００１７】
本発明のバルコニーの排水仕切形成部材１（以下、単に排水仕切形成部材１という。）は、図３に示すように、床シート２が敷設された連続するバルコニーＢを仕切板３で区切って、２世帯以上の住居で共用するという、近年多く見られるようになった２階建て以上の鉄筋コンクリート造集合住宅に対応するよう発案されたもので、自家専用使用領域Ｂ１と隣家専用使用領域Ｂ２との境界線Ｌの床シート２，２間に設置されて、自家専用使用領域Ｂ１で使用した水（植物の水やり、バルコニーの水掃除、エアコンからの排水等）が、隣家専用使用領域Ｂ２に流出するのを防止するためのものである。
【００１８】
上記排水仕切形成部材１は、ポリ塩化ビニルなどのビニル系樹脂により押出成形された略キノコ型の長尺部材で、図１、図２、図４に示すように、底部１ａと、底部１ａの両側に形成された床シート接面部１ｂと、床シート接面部１ｂの上部に形成されたカバー部１ｃを具備しており、その長さはバルコニーＢの出幅と同じとなるように形成されている。
尚、本実施形態の排水仕切形成部材１は、軟質系塩化ビニル系樹脂によって成形されたものであるが、特に塩化ビニル系樹脂に限定されるものではなく、ポリエチレン、ポリプロピレンなどのオレフィン系樹脂やその他の公知の合成樹脂で成形してもよい。ただし、微妙に不陸のあるコンクリート躯体Ｃへの追従性の点や、後述するように、床シート２の端部を、一体に形成されたカバー部１ｃとシート接面部１ｂの間に挿入する作業性の点（カバー部１ｃとシート接面部１ｂが一体で形成されている場合は、少なくともカバー部１ｃは軟質系合成樹脂で形成されていることが望ましい）などから、軟質系の合成樹脂で形成されていることが好ましい。また、押出成形が安価で成形できるので好ましいが、その他に、射出成形、注型成形、プレス成形、連続プレス成形などの公知の方法を用いて成形することもできる。
【００１９】
上記底部１ａは、バルコニー床面のコンクリート躯体Ｃに接するもので、図２、図４に示すように、排水仕切形成部材１をバルコニー床面のコンクリート躯体Ｃに設置したとき、排水仕切形成部材１を安定して設置できるよう、後述するカバー部１ｃよりも幅広に形成されている。
【００２０】
上記底部１ａの両側に形成された床シート接面部１ｂは、図２に示すように、底部１ａの両側から凹湾曲してなだらかに上方へ立ち上がるように形成されたもので、捲り上げた床シート２の裏面を、この床シート接面部１ｂに沿わせるように密着させて凹湾曲させながら上方へ立ち上げて接着するための接着面である。床シート２はその特性上、垂直に折り曲げるのが困難で、この床シート接面部１ｂを底部１ａからいきなり垂直に立ち上がるように形成すると、床シート２と床シート接面部１ｂの下部とが密着せずに隙間が生じ、接着性が低下するので好ましくない。通常バルコニーＢに敷設するのに好適に用いられる厚みが２ｍｍの床シート２を、床シート接面部１ｂに充分密着するように折り曲げようとすると、床シート２の曲率半径は５ｍｍ程度となる。従って、床シート２の厚みを勘案し、床シート接面部１ｂの曲率半径は７ｍｍとなるように形成されている。そして、この床シート接面部１ｂは、底部１ａから半径７ｍｍの曲率でなだらかに立ち上げられたのち、コンクリート躯体Ｃと垂直となるように形成されている。
尚、床シート２の厚みが２ｍｍよりも薄い場合や厚い場合には、床シート接面部１ｂの曲率半径がそれらに合致するように変更されるのは言うまでもなく、床シート２の材質によっても曲率半径は変わってくる。
【００２１】
上記床シート接面部１ｂの上部に形成されたカバー部１ｃは、図２に示すように、床シート接面部１ｂの上部より幅方向に張り出して、そこから下方へ折り曲げられており、図４、図５に示すように、床シート２の端面と床シート２表面の端部を覆うために形成されたものである。このカバー部１ｃは、上記床シート接面部１ｂとの間に形成される凹空部Ｓに床シート２の端部を挿入するため、床シート２の厚みと若干の余裕分にカバー部１ｃ自体の肉厚を加えた分だけ床シート接面部１ｂより外側に張り出するように形成されている。
このカバー部１ｃを軟質系の合成樹脂で形成すると柔軟性が増すので、カバー部１ｃを上方へ変形させて、床シート接面部１ｂとの間に形成される凹空部Ｓの空間を拡げてから、床シート接面部１ｂに床シート２裏面を沿わせてカバー部１ｃで床シート２の端部を覆うことができるようになるので、施工性が向上する。
【００２２】
上記カバー部１ｃ内側の床シート２と接する面には、０．５〜１ｍｍ程度突出した凸条１ｄが長さ方向全域に亘って形成されている。このようにカバー部１ｃ内側の床シート２と接する面に凸条１ｄを形成すると、床シート２と排水仕切形成部材１の接着性が向上するので、床シート２と排水仕切形成部材１が剥がれ難くなるのは勿論のこと、床シート２とコンクリート躯体Ｃの間に水が侵入する可能性も皆無に等しくなる。
尚、この凸条１ｄに代えて凹溝を、カバー部１ｃ内側の床シート２と接する面の長さ方向に形成してもよい。
【００２３】
上記排水仕切形成部材１の寸法は特に限定されないが、バルコニーＢの出幅寸法と等しい、長さが９０〜１２０ｃｍ程度、底部１ａの幅Ｗ１が２０〜８０ｍｍ程度、高さＨが３〜３０ｍｍ程度のものが好適に用いられる。この高さＨが、３ｍｍより低いと自家専用使用領域Ｂ１で使用した水が、隣家専用使用領域Ｂ２に流出してしまう恐れがあり、３０ｍｍよりも高いと避難時につまずいて転倒する恐れがあるので、排水仕切形成部材１の高さＨは３〜３０ｍｍ程度に形成するのが好ましい。この排水仕切形成部材１は、後述するように床シート２，２の端部を捲り上げて、床シート２の端面がカバー部１ｃ内側の突出部分に接するように設置するものなので、底部１ａの幅Ｗ１があまり狭いと高さＨが低くなりすぎて、排水仕切形成部材としての充分な働きをしない。一方、底部１ａの幅Ｗ１が広すぎると、設置面積が大きくなりすぎるのでやはり好ましくない。これらを勘案して、本実施形態の排水仕切形成部材１は、底部１ａの幅Ｗ１が４０ｍｍ、床シート接面部１ｂの曲率半径が７ｍｍ、床シート接面部１ｂの上部の幅Ｗ２が２７．５４ｍｍ、高さＨが１８．９６ｍｍ、カバー部１ｃの張り出し寸法Ｐが４ｍｍとなるように形成されている。上記のような寸法関係をとることによって、突き合わせた２枚の床シート２，２、又は１枚の床シートを切断した床シート２，２の端部で捲り上げて施工する際に、床シート２，２の先端が、カバー部１ｃと床シート接面部１ｂとの間に形成される凹空部Ｓの奥にまで達するので、施工（作業）性がよく、床シート２とコンクリート躯体Ｃの間に水が侵入する可能性も極端に低くすることができる。
【００２４】
尚、本発明の排水仕切形成部材は、底部１ａと床シート接面部１ｂとカバー部１ｃを備えていれば上記のような形状に限定されるものではなく、例えば、図７に示すような、上部の中心が肉盛された傘型のような形状の排水仕切形成部材１Ａでもよい。また、前述した排水仕切形成部材１は中実であるが、図６に示すように、上記排水仕切形成部材１の中心を長さ方向に亘ってくり抜いたり、この図７に示す排水仕切形成部材１Ａのように、底部１ａの幅方向中間部分が長さ方向に亘って三角形状に切り欠かれて凹部１ｅが形成された中空体でもよい。このように、上部が傘型の排水仕切形成部材１Ａは、上部に雨水や排水がかかったり、埃がたまることがなく、排水仕切を清浄に保つことができるし、中空体とすることで材料費を抑えることができる。
【００２５】
次に、以上のような構成の排水仕切形成部材１を用いたバルコニーの排水仕切構造並びに排水仕切方法を説明する。
【００２６】
本発明のバルコニーの排水仕切構造は、図３、図４に示すように、バルコニー床面のコンクリート躯体上Ｃに、前述したバルコニーの排水仕切形成部材１が、その底部１ａを接するように載置され、バルコニーＢの自家専用使用領域Ｂ１と隣家専用使用領域Ｂ２の境界線Ｌで捲り上げられたそれぞれの床シート２，２の裏面が、排水仕切形成部材１の両側の床シート接面部１ｂ，１ｂにそれぞれ密着して凹湾曲しながら上方へ立ち上がって接着されると共に、床シート２，２の端部がカバー部１ｃで覆われて接着されたものである。
【００２７】
ここでいうバルコニーＢとは、建物の住居部分から外側に張り出すように設けられた人が出入りすることのできる部分のことをいい、図３に示すように、周りが外壁４で囲まれて、隣家との境界線Ｌに設置された仕切板３で、バルコニーＢの自家専用使用領域Ｂ１と隣家専用使用領域Ｂ２が区切られている。仕切板３は、火災等の非常時に突き破って脱出できるような材質で形成されたものが使用され、その上下に設けられた取付け部３ａ，３ａによって建物に取付けられている。この仕切板３を建物に取付けると、図３、図４に示すように、仕切板３の下端とバルコニーＢとの間に開放部ＯＳが形成されるようになっている。
【００２８】
バルコニー床面のコンクリート躯体Ｃに敷設される床シート２は、防滑性能に優れた塩化ビニルなどのビニル系樹脂により成形された厚さが２ｍｍ程度のもので、その幅は敷設するバルコニー床面Ｃの出幅と等しい９０〜１２０ｃｍ程度となっている。このような防滑性能に優れた床シート２を敷設すると、滑りにくいのは勿論のこと、質感も高く音や衝撃を緩和させる働きもする。
尚、この床シート２の材質はポリ塩化ビニル系樹脂に限定されるものではなく、ポリエチレン、ポリプロピレンなどのオレフィン系樹脂で成形してもよい。
【００２９】
上記バルコニー床面のコンクリート躯体Ｃは、建物から排水溝５にかけて緩やかに傾斜しており、エアコン６からの排水などが、該排水溝５へ流れ込むようになっている。しかしながら、エアコン６の排水ホース６ａから少しずつ排出される水や、植物に水やりをしたときの水などは、バルコニー床面のコンクリート躯体Ｃに敷設された床シート２の表面をゆっくり流れて広がりながら排水溝５に流れ込むため、床シート２の表面が比較的広範囲に亘って水に濡れ、その水が隣家専用使用領域Ｂ２に流出してしまう恐れがある。そこで、前述した排水仕切形成部材１を、次のような要領で自家専用使用領域Ｂ１と隣家専用使用領域Ｂ２の床シート２，２間に設置する。
【００３０】
まず、図５の（ａ）に示すように、排水仕切形成部材１を設置しようとするバルコニーＢが、自家専用使用領域Ｂ１と隣家専用使用領域Ｂ２のそれぞれに２枚の床シート２，２が敷設されている場合は、図５の（ｂ）に示すように、その突き合わせた端部側を矢印の方向に捲り上げる。また、１枚の床シート２が、自家専用使用領域Ｂ１と隣家専用使用領域Ｂ２に亘って敷設されている場合は、その床シート２を自家専用使用領域Ｂ１と隣家専用使用領域Ｂ２の境界線Ｌで切断してから捲り上げる。
尚、バルコニーＢに新たな床シート２を敷設するときは、床シート２とコンクリート躯体Ｃとの間に水が侵入するのを防止する端仕舞い処理をするため、床シート２をバルコニー床面のコンクリート躯体Ｃの幅いっぱいに敷設するのではなく、図６に示すように、床シート２とバルコニーＢの排水溝５との間に２〜５ｍｍ程度の僅かな隙間が形成されるように敷設することが一般的である（床シート２と排水溝５との間の隙間は、後述するようにコーキング剤などで端仕舞い処理を行うためのものである）。
また、図示はしていないが、コンクリート造集合住宅を新築する場合や改修する場合で、新たにバルコニーＢの自家専用使用領域Ｂ１と隣家専用使用領域Ｂ２に２枚の床シート２，２を敷設するときは、床シート２，２の端部を余裕をもって切断し、床シート２，２の端部が重なるようにすると、排水仕切形成部材の底部１ａの幅Ｗ１を狭く形成しても、排水が隣家専用使用領域Ｂ２に流出しないだけの充分な高さＨを確保することができる。
【００３１】
次に、バルコニー床面のコンクリート躯体上Ｃの境界線Ｌ上に、排水仕切形成部材１を、その底部１ａが接するように載置する。排水仕切形成部材１の底部１ａとバルコニー床面のコンクリート躯体Ｃは必ずしも固定する必要はないが、排水仕切形成部材１に外力が作用したときに、床シート２に直接応力が負荷されるのを避けるため、排水仕切形成部材１とバルコニー床面のコンクリート躯体Ｃとは接着剤や両面テープなどで接着固定することが好ましい。
【００３２】
バルコニー床面のコンクリート躯体Ｃの自家専用使用領域Ｂ１と隣家専用使用領域Ｂ２の境界線Ｌ上に排水仕切形成部材１を載置したのち、排水仕切形成部材１の床シート接面部１ｂ，１ｂとカバー部１ｃの内側に接着剤を塗布するか（凹空部Ｓに接着剤を充填しておいてもよい）、又は床シート２，２の裏面と床シート２，２の端面、床シート２，２表面の端部に接着剤を塗布し、カバー部１ｃを上方へ変形させて、床シート接面部１ｂとの間に形成される凹空部Ｓの空間を拡げてから、図５の（ｃ）に示すように、排水仕切形成部材１の一方（左側）の床シート接面部１ｂに自家専用使用領域Ｂ１の捲り上げた床シート２の裏面を密着させて凹湾曲させながら上方へ立ち上げて接着すると共に、他方（右側）の床シート接面部１ｂに隣家専用使用領域Ｂ２の捲り上げられた床シート２の裏面を密着させて凹湾曲させながら上方へ立ち上げて接着し、凹空部Ｓ，Ｓに挿入した自家専用使用領域Ｂ１と隣家専用使用領域Ｂ２の床シート２，２の端部をカバー部１ｃ，１ｃで覆って接着することで、自家専用使用領域Ｂ１と隣家専用使用領域Ｂ２との境界線Ｌの床シート２，２間に排水仕切形成部材１が設置される。
尚、排水仕切形成部材１と床シート２の接着は、上記のような接着剤で接着する他、コーキング剤、両面テープ、樹脂溶接等の公知の方法や、その組合せでも接着することができるが、排水仕切形成部材１のカバー部１ｃの下端と床シート２の段差部分にはコーキング剤の肉盛りや樹脂溶接等で処理しておくことが望ましい。
【００３３】
上記のように、床シート２，２間に排水仕切形成部材１を設置すると、床シート２と排水溝５の隙間、排水仕切形成部材１と排水溝５との隙間をコーキング剤や接着剤で肉盛りして端仕舞い処理するとともに、床シート２と排水仕切形成部材１との端面も同じく処理することで施工が完了する。
【００３４】
尚、上記のように、各隙間と床シート２と排水仕切形成部材１との端面の全てをコーキング剤等で処理してもよいが、捲り上げられていない部分の床シート２と排水溝５の隙間のみをコーキング剤等で肉盛りし、図６に示すように、排水仕切形成部材１の底部１ａと床シート接面部１ｂとカバー部１ｃを覆うサイドキャップ７を、排水仕切形成部材１の排水溝５側の端面に接着して端仕舞いすることがより好ましい。
【００３５】
上記サイドキャップ７は、図６の（ａ）に示すように、床シート２,２を接着した排水仕切形成部材の外形と略合致した板体のもので、排水仕切形成部材が中空構造である場合では、図６の（ｂ）に示すように、サイドキャップ７に嵌合凸部７ａを設け、その嵌合凸部７ａを排水仕切形成部材の中空部に嵌合・接着することで、サイドキャップ７がズレることなく、より強固に固定できるため、美観上も好ましい。
このように端仕舞いすると、排水仕切形成部材１と床シート２の接着面から水が侵入しないことと相俟って、バルコニー床面のコンクリート躯体Ｃと床シート２の間に水が侵入する心配は皆無に等しくなる。
【００３６】
以上の説明から明らかなように、本発明の排水仕切形成部材及びそれを用いた排水仕切構造並びに排水仕切方法は、植物の水やり、バルコニーの水掃除、エアコンからの排水等、自家専用使用領域Ｂ１で使用した水が隣家専用使用領域Ｂ２へ流出しそうになっても、隣家との境界線Ｌの床シート２，２の間に排水仕切形成部材１を設置しているので、流出しそうな水は排水仕切形成部材１によって堰止められる。しかも、本発明の排水仕切形成部材１は、単に床シート２と床シート２の間に部材を設置するものではなく、自家専用使用領域Ｂ１と隣家専用使用領域Ｂ２の床シート２，２端部を捲り上げて設置するのものなので、排水仕切形成部材１と床シート２の接着端部がバルコニーＢよりも高い場所に位置し、直接床シート２と排水仕切形成部材１の接着面に、水が接することは殆どないので、バルコニーで使用した水や大雨等で排水仕切形成部材と床シートの接着端部が水没することがなく、床シートとコンクリート躯体の間に水が侵入する心配がない。また、カバー部１ｃの床シート２と接する面に凸条１ｄが形成されているので、床シート２と排水仕切形成部材１の接着が強固となり剥がれる心配がない、という顕著な効果を奏するので、鉄筋コンクリート造集合住宅を新築する時や、そのバルコニーＢ部分を改修する時に好適に用いられる。
【００３７】
図８は本発明の更に他の実施形態に係るバルコニーの排水仕切形成部材を示すものであって、（ａ）は分解正面図、（ｂ）は正面図である。
【００３８】
この排水仕切形成部材１Ｂは、前述した排水仕切形成部材１と同様の底部１ａと床シート接面部１ｂを備えた略凸型の部材本体１０と、カバー部１ｃを備えた略逆凹型のカバー部材１０ｃからなる別体型のもので、カバー部材１０ｃの幅方向中間には矢印型の係止爪１ｆが形成されると共に、部材本体１０には、該係止爪１ｆと係止する矢印型の被係止部１ｇが形成されている。
【００３９】
上記排水仕切形成部材１Ｂは、次のような要領で施工される。
【００４０】
即ち、図９の（ａ），（ｂ）に示すように、排水仕切形成部材１Ｂを設置しようとするバルコニーＢの、自家専用使用領域Ｂ１と隣家専用使用領域Ｂ２に敷設された２枚の床シート２，２の突き合わせた端部側を捲り上げる。
尚、１枚の床シート２で、自家専用使用領域Ｂ１と隣家専用使用領域Ｂ２を覆っている場合は、その床シート２を自家専用使用領域Ｂ１と隣家専用使用領域Ｂ２の境界線Ｌで切断してから捲り上げればよいことはいうまでもない。
【００４１】
次に、図９の（ｃ）に示すように、捲り上げられた床シート２，２裏面、又は部材本体１０の床シート接面部１ｂ，１ｂに接着剤を塗布し、部材本体１０の一方（左側）の床シート接面部１ｂに自家専用使用領域Ｂ１の捲り上げた床シート２の裏面を密着させて接着し、他方（右側）の床シート接面部１ｂに隣家専用使用領域Ｂ２の捲り上げられた床シート２の裏面を密着させて接着する。そして、カバー部材１０ｃのカバー部１ｃの内側、又は床シート２，２の端面及び表面の端部に接着剤を塗布し、図９の（ｄ）に示すように、自家専用使用領域Ｂ１と隣家専用使用領域Ｂ２の床シート２，２の端面及び表面の端部をカバー部１ａで覆って接着することで、排水仕切形成部材１Ｂが設置される。この部材本体１０とカバー部材１０ｃとは、接着剤やコーキング剤、或いは、樹脂溶接等で一体化してもよいが、本実施形態のように、係止爪１ｆと被係止部１ｇによる爪嵌合とすることで、施工スピードが向上する。
この排水仕切形成部材１Ｂのその他の構造、方法は、前述した排水仕切形成部材１の実施形態と同様であるから、説明を省略する。
【００４２】
以上のような構成の排水仕切形成部材１Ｂは、底部１ａと床シート接面部１ｂを備えた部材本体１０と、カバー部１ｃを備えたカバー部材１０ｃを別体に形成することで、床シート接面部１ｂに床シート２を隙間なく充分密着させて接着したのち、カバー部材１０ｃのカバー部１ｃで床シート２，２端部を覆うことができるようになるので、施工性が向上する。
【００４３】
また、別体型の排水仕切形成部材の別の実施形態として、図１０に示すような形状のものも挙げられる。この排水仕切形成部材１Ｃは、底部１ａと、その底部１ａの両側から斜め上方へ円弧状に立ち上がった床シート接面部１ｂ，１ｂを備えた略三角形状の部材本体１１と、先端が先細りのカバー部１ｃを備えた下端の開放したカバー部材１１ｃからなるものである。
この排水仕切形成部材１Ｃのその他の構造、方法は、前述した排水仕切形成部材１Ｂの実施形態と同様であるから、説明を省略する。
【００４４】
以上のような構成の排水仕切形成部材１Ｃのように、カバー部１ｃの両先端を先細りに形成し、或いは、両先端を面取りや曲率を持つように形成することで、床シート２とカバー部１ｃとの段差が少なくなるようになっていると、歩行者がつまずいて転倒するのを防止することができる。
【図面の簡単な説明】
【００４５】
【図１】本発明の一実施形態に係るバルコニーの排水仕切形成部材を示す斜視図である。
【図２】同排水仕切形成部材の正面図である。
【図３】同排水仕切形成部材を用いたバルコニーの排水仕切構造を示す概略斜視図である。
【図４】図３のＡ−Ａ断面図である。
【図５】同排水仕切形成部材を用いたバルコニーの排水仕切方法を説明する部分断面図である。
【図６】同バルコニーの排水仕切方法（中空体の排水仕切形成部材を用いた方法）を説明するものであって、（ａ）は部分斜視図、（ｂ）は側面図である。
【図７】本発明の他の実施形態に係るバルコニーの排水仕切形成部材を示す正面図である。
【図８】本発明の更に他の実施形態に係るバルコニーの排水仕切形成部材を示すものであって、（ａ）は分解正面図、（ｂ）は正面図である。
【図９】同排水仕切形成部材を用いたバルコニーの排水仕切方法を説明する部分断面図である。
【図１０】本発明の更に他の実施形態に係るバルコニーの排水仕切形成部材を示すものであって、（ａ）は分解正面図、（ｂ）は正面図である。
【符号の説明】
【００４６】
Ｂ    バルコニー
Ｂ１  自家専用使用領域
Ｂ２  隣家専用使用領域
Ｃ    バルコニー床面のコンクリート躯体
Ｌ    境界線
１，１Ａ，１Ｂ，１Ｃ  バルコニーの排水仕切形成部材
１ａ  底部
１ｂ  シート接面部
１ｃ  カバー部
１ｄ  凸条
１ｅ  凹部
１ｆ  係止爪
１ｇ  被係止部
１０，１１部材本体
１０ｃ，１１ｃ  カバー部材
２    床シート
３    仕切板
３ａ  取付け部
４    外壁
５    排水溝
６    エアコン
６ａ  排水ホース
７    サイドキャップ
７ａ  嵌合凸部
【図１】
0005166958.tif 000002
【図２】
0005166958.tif 000003
【図３】
0005166958.tif 000004
【図４】
0005166958.tif 000005
【図５】
0005166958.tif 000006
【図６】
0005166958.tif 000007
【図７】
0005166958.tif 000008
【図８】
0005166958.tif 000009
【図９】
0005166958.tif 000010
【図１０】
0005166958.tif 000011